(57)【要約】【課題】家電機器や携帯式小型電気機器は既存のものでありながら、その機器から放射される電磁波が内容、機能、性質を変え、人体に無害かつ健康に有益なる効果を与える導電素子を介装した電気供給ラインを提供すること。【解決手段】家庭用電気コンセント１から携帯電話２の充電バッテリへと電源供給するために両者間に跨る配線コードの中途部に生体エネルギーを高めた（Ｃ，Ｓｉ，Ｇｅ，Ｓｎ，Ｐｂ）から選択した１又は２以上を基本成分とし、Ｃｕ，Ａｌ，Ｆｅ，Ａｇ，Ａｕを上記基本成分に含み、さらにＫ，Ｍｇ，Ｃａ，Ｐ，Ｓ，Ｎ，Ｏの少なくとも一つを含む材料を溶融して導線化した電磁波の内容・機能、性質改善した導電素子が介装されている。【選択図】      図１
2005310734.tif 000002
【特許請求の範囲】
【請求項１】
外部電力源から電気駆動機器の電源部へ電気エネルギーを供給するための電気供給ラインにおいて、
生体エネルギーを注入し、そのエネルギー準位を高めた金属又は合金（以下「金属等」という。）を導線化してなる導電素子を、前記外部電力源と前記電源部との中途部に介装したことを特徴とする電気供給ライン。
【請求項２】
外部電力源から電気駆動機器の電源部へ電気エネルギーを供給するための電気供給ラインにおいて、
生体エネルギーを注入し、そのエネルギー準位を高めた粉末あるいは粉体状の金属等を絶縁体又は導体のケースに充填してなる導電素子を、前記外部電力源と前記電源部との中途部に介装したことを特徴とする電気供給ライン。
【請求項３】
前記金属等は、元素の周期律表の第４属（４B）に属する元素（Ｃ，Ｓｉ，Ｇｅ，Ｓｎ，Ｐｂ）から選択した１又は２以上を基本成分として溶融したものであることを特徴とする請求項１又は２記載の電気供給ライン。
【請求項４】
前記金属等は、Ｃｕ，Ａｌ，Ｆｅ，Ａｇ，Ａｕの中から選んだ１又は２以上を溶融したもの、又は、該選んだ１又は２以上を周期律表の第４属（４B）に属する元素に加えて溶融したものであることを特徴とする請求項３記載の電気供給ライン。
【請求項５】
前記金属等は、Ｋ，Ｍｇ，Ｃａ，Ｐ，Ｓ，Ｎ，Ｏの中から選んだ１又は２以上を含有することを特徴とする請求項１乃至４のいずれか１項記載の電気供給ライン。
【請求項６】
前記導電素子を、前記電気駆動機器の機器内部に設けたことを特徴とする請求項１乃至５のいずれか１項記載の電気供給ライン。
【請求項７】
導電線の周囲を絶縁性材料で被覆した電源ケーブルの少なくとも一部において、該導電線と該絶縁性材料との間に、生体エネルギーを注入し、そのエネルギー準位を高めた粉末あるいは粉体状の金属等又は絶縁物の粉末が充填されていることを特徴とする電源ケーブル。
【請求項８】
絶縁性材料で被覆された電気供給線から絶縁性材料を剥ぎ取ることにより導電線の少なくとも一部を露出させ、露出部との間に空間ができるようにして該露出部の周囲を絶縁性材料で被覆し、
該空間内に、生体エネルギーを注入し、そのエネルギー準位を高めた粉末あるいは粉体状の金属等又は絶縁物を充填してなることを特徴とする電気供給線。
【発明の詳細な説明】
【技術分野】
【０００１】
本発明は、例えば、家庭用電気コンセントなどの外部電力源から、例えば、携帯電話、パーソナルコンピュータなどの電気駆動機器の電源部へ電力を供給するための電気供給ライン及び電源ケーブルに関する。
【背景技術】
【０００２】
従来から、テレビ、ゲーム機器、パソコンなどのコンピュータ類、携帯電話や各種通信機器（無線ＬＡＮなどの無線機器）等にあっては、各電子機器からの電磁波が人体の健康に及ぼす悪影響が懸念されている。
【０００３】
そして、このような電磁波による人体への悪影響を防止するものとして、例えば、コンピュータのディスプレイの前面に電磁波遮蔽用のフィルムシートを設けたり、電磁波遮蔽用のエプロンなどによって防衛することが周知である。
【発明の開示】
【発明が解決しようとする課題】
【０００４】
ところで、このような電磁波遮蔽製品にあっては、家電機器や携帯式小型電気機器から放射される電磁波が人体に到達する強さ、電力密度を低減しようとするもので、１００％遮断することは困難である。
【０００５】
また、電磁波の内容・機能・性質を変えて、人体へのマイナス作用を消すものでもなく、さらにプラス効果を与えようとするコンセプトを持つものでもない。
【０００６】
本発明は、家電機器、通信機器、携帯式小型電気機器等の電気駆動機器は既存のものでありながら、その機器から放射される電磁波の内容・機能・性質を生体エネルギーを応用することによって変え、人体の健康にプラス効果、健康促進効果をもたらす電気供給ラインを提供することを目的とする。
【課題を解決するための手段】
【０００７】
その目的を達成するため、請求項１に記載の電気供給ラインは、外部電力源から電気駆動機器の電源部へ電気エネルギーを供給するための電気供給ラインにおいて、
生体エネルギーを注入し、そのエネルギー準位を高めた金属等を導線化してなる導電素子を、前記外部電力源と前記電源部との中途部に介装したことを特徴とする。
【０００８】
請求項２記載の電気供給ラインは、外部電力源から電気駆動機器の電源部へ電気エネルギーを供給するための電気供給ラインにおいて、
生体エネルギーを注入し、そのエネルギー準位を高めた粉末あるいは粉体状の金属等を絶縁体又は導体のケースに充填してなる導電素子を、前記外部電力源と前記電源部との中途部に介装したことを特徴とする。
【０００９】
請求項７記載の電源ケーブルは、導電線の周囲を絶縁性材料で被覆した電源ケーブルの少なくとも一部において、該導電線と該絶縁性材料との間に、生体エネルギーを注入し、そのエネルギー準位を高めた粉末あるいは粉体状の金属等又は絶縁物の粉末が充填されていることを特徴とする。
【００１０】
請求項８記載の電気供給線は、絶縁性材料で被覆された電気供給線から絶縁性材料を剥ぎ取ることにより導電線の少なくとも一部を露出させ、露出部との間に空間ができるようにして該露出部の周囲を絶縁性材料で被覆し、
該空間内に、生体エネルギーを注入し、そのエネルギー準位を高めた粉末あるいは粉体状の金属等又は絶縁物を充填してなることを特徴とする。
【発明の効果】
【００１１】
本発明の電気供給ラインにあっては、以上説明したように構成したことにより、電気機器や携帯式小形電気機器及び電子機器は既存のものでありながら、その機器から放射される電磁波の内容、機能を、生体エネルギー準位を高めた金属を適用することにより高め、電磁波の人体への悪影響を消去するとともに、さらに健康上プラスの効果をもたらすことができる。
【００１２】
あらゆる地球上の存在は、集合・結有化して１つのもの（個）をつくることで成り立っている。この結有化によって１個を作る力を同化力と呼んでいる。統一体としてまとまった一つの内容・機能・性質を作る力であるため、一定の法則性、情報を持った結合力と言える。この同化力の強さは物質が本来持っている生体エネルギーの準位によって決定される。生体エネルギーは、これを極めて高い準位にまで高めた物質を用いることによって、目的とする金属に誘導転写することが可能であり、生体エネルギーを高めた高温炉内でこれら金属を高温で溶融することによりさらに生体エネルギー準位を高めることができる。
【００１３】
ここで生体エネルギーについてさらに説明する。異なる複数ある物質が同化して一つになり、同じ機能、性質へ変わるのに必要な力を同化力と呼ぶ。水を例にとると、水は水素原子２つと酸素原子１つとでできている。この水分子の水素と酸素とは全く違う他の物質になったわけではなく、水素は水素のまま、酸素は酸素のままで今まで（すなわち、水素、酸素）とは異なる水としての働き（機能、内容、性質）をしている。これは水素と酸素とを同化させ１つの個として機能させる力、本来異なる物質が同化して同じ機能、性質へ変わることに必要な力である同化力があるからである。この同化力の強さ、位置は生体エネルギーの高低によって決定される。従って、同じように見える水でも生体エネルギーのレベルによって全く異なる内容、機能、性質を示すことになる。物質の能力・機能の高低、物質の内容は生体エネルギーによって変化する。これは金属でも全く同じことが言える。
【００１４】
前記金属等は、元素の周期律表の第４属（４B）に属する元素（Ｃ，Ｓｉ，Ｇｅ，Ｓｎ，Ｐｂ）を基本成分として用い、これらの元素の１又は２以上を選択して溶融したものであることを要旨とする。
炭素（Ｃ）は動植物を構築している分子、いわゆる高分子有機物の中心となる元素であり、ケイ素（Ｓｉ）は地表面を覆っている土壌、岩石の主成分である。ゲルマニウム（Ｇｅ）も土壌の成分であるがエネルギーの高い植物・薬草に高いレベルで含まれる元素である。第４属（４Ｂ）に属する元素は高いレベルの生体エネルギーを持つことができるという特徴を有しており、従って、かかる元素を基本成分とすることによりより一層高い生体エネルギーを達成することが可能となる。
前記金属等は、Ｃｕ，Ａｌ，Ｆｅ，Ａｇ，Ａｕの中から選んだ１又は２以上を溶融したもの、又は、該選んだ１又は２以上を周期律表の第４属（４B）に属する元素に加えて溶融したものであることを要旨とする。
【００１５】
前記金属等は、Ｋ，Ｍｇ，Ｃａ，Ｐ，Ｓ，Ｎ，Ｏの中から選んだ１又は２以上を含有することを要旨とする。
【００１６】
前記導電素子を、前記電気駆動機器の機器内部に設けたことを要旨とする。
【発明を実施するための最良の形態】
【００１７】
次に、本発明の電気供給ラインの実施の形態を、電気駆動機器の電源部として携帯電話のバッテリを例にとり図面に基づいて説明する。
【００１８】
図１は携帯電話用バッテリの使用状態の模式図である。
【００１９】
図１において、２は携帯電話（電気駆動機器）である。３は、家庭用電気コンセント（外部電力源）から携帯電話２の充電バッテリ（電源部：図示せず）へと電力を供給するために両者間に跨る配線コード（電気供給ライン）である。
【００２０】
この配線コード３は、家庭用電気コンセントに接続されるプラグ４と、携帯電話２に接続されるコネクタ５と、プラグ４とコネクタ５とに跨るコード本体６と、コード本体６の中途部に設けられたアダプター７とを備えている。このアダプター７はその内部に導電素子を内蔵している。
【００２１】
導電素子７は、全体をカバーで覆われており、その内部にはＣｕ，Ａｌ，Ｃ，Ｓｉ，Ｇｅ，Ｓｎ，Ｐｂ，Ｆｅ，Ａｇ，Ａｕの少なくとも一つを含む金属材料を溶融して導線化した導線（図示せず）が設けられており、家庭用電源は、この導電素子７内を通過した後に、携帯電話２の充電バッテリへと電源供給される。
【００２２】
（電磁波影響の赤血球観察）
図２及び図３は、本発明の配線コード３を使用して充電した携帯電話２による通話と、本発明の配線コード３を使用せずに既存の配線コードを使用して充電した携帯電話による通話とにおいて電磁波の影響を赤血球の集合度・付着状態の変化により、暗視野光学顕微鏡で観察した実験結果の説明図である。
【００２３】
先ず図２は、（１）被験者の初期状態の血液像と、（２）被験者が本発明の配線コード３を使用せずに既存の配線コードを使用して充電した携帯電話で１５分間通話した直後の血液像、さらに（３）に（２）で血液を採取した直後に、本発明の配線コード３を使用して充電した携帯電話で１５分間通話した直後の血液像であり、赤血球の集合状態を示している。
【００２４】
この図で明らかなように、初期状態の赤血球は多少連鎖状態にあるものの、本発明の配線コード３を使用しない場合には、赤血球が互いに凝集状態を形成してドロドロの血液状態となり、特に、毛細血管への赤血球の流入出が低下し、酸素や栄養分の摂取が著しく損なわれることが懸念される。本発明の配線コード３を使用した場合には、一旦凝集状態となった赤血球が分離されて個々に流れに沿って動き出すようになり、いわゆるサラサラした健康的な血液状態となる。
【００２５】
一方、図３は、（１）被験者の初期状態の血液像と、（２）被験者がまず本発明の配線コード３を使用して充電した携帯電話で１０分間通話した直後の血液像を、さらに（３）に（２）で採血した直後に本発明の配線コード３を使用せずに既存の配線コードを使用して充電した携帯電話で１０分間通話した直後の血液像を示す。図から明らかなように、本発明の配線コード３を使用して充電した携帯電話を使用した場合、赤血球が完全に分離してサラサラの健康体の血液状態を示す。その後に既存の配線コードで充電した携帯電話で通話すると、赤血球が連鎖状や凝集状態となって赤血球の流れが劣化する。
【００２６】
さらに、図４に（１）初期状態の血液像、（２）本発明の配線コード3を使用せずに既存の配線コードを使用して充電した携帯電話で１０分間通話した直後の血液像及び（３）は（２）の採血直後に（２）の通話に用いた既存の配線コードで充電した携帯電話の被験者へ、本発明の配線コード３を用いて充電した携帯電話から１０分間通話した直後に採血した被験者の血液像を示した。
【００２７】
図から明らかなように、既存の配線コードで充電した携帯電話を使用した場合には図２、３と同じように赤血球が連鎖状及び凝集状態となって流れの悪いドロドロの状態となるが、その既存の配線コードで充電した携帯電話へ本発明の配線コード３で充電した携帯電話を用いて通話すると、一旦連鎖状及び凝集状態となった赤血球がバラバラに分離してサラサラの健康体の血液に回復する。
【００２８】
図２、３及び４で明らかなように、本発明の配線コード３を使用して充電した携帯電話を用いて通話した場合、通話した本人は勿論のこと、本発明の配線コード３を使用していない携帯電話の相手通話者も含めて電磁波による人体への悪影響が無い上に、赤血球が分離した健康体のサラサラの血液状態となることが判明した。
【００２９】
なお、血液中の赤血球の形態の変化にはいくつかのパターンが見られる。すなわち、暗視野光学顕微鏡で観察したときに、本発明による配線コードを使用しない場合、赤血球からの反射光が極端に弱くなって観察しにくくなるようなケースも見られる。
また、白血球やリンパ球などの形態にも影響するのが観察される場合もある。本発明による配線コードを使用した場合には、このような血液成分の異常な変化は認められていない。
【００３０】
（電磁波影響の脳波観察）
図５は、本発明の配線コード３を使用して充電した携帯電話２と、本発明の配線コード３を使用せずに既存の配線コードを使用して充電した携帯電話とを電源をＯＮにして通話状態を保持したまま被験者の側頭に近づけた場合の脳波の変化を観察した結果の説明図である。
【００３１】
まず、安静時の脳波は目を閉じてゆっくりと呼吸して集中している状態で、特に目立った周波数の脳波は観察されない。その状態、すなわち、目を閉じてゆっくり呼吸して集中したままの状態で、既存の配線コードで充電した携帯電話を通話状態にしたまま被験者の側頭に近づけると、図５の右側に示すようにβ波が高い密度で発生する。すなわち、目を閉じて集中しているにもかかわらず脳波は大きく変化している。
【００３２】
次に本発明の配線コード３を使用して充電した携帯電話２を通話状態で被験者の側頭に近づけると図５の左側に示すように、電話を近づけない安静時の脳波とほとんど同じ状態の脳波となる。すなわち、携帯電話の電磁波によって脳波が乱されることはなく、自然な状態を維持することが可能となる。
【００３３】
ところで、上記実施の形態では携帯電話について説明したが、他の無線通信機器やパソコンなどのコンピュータなども高周波、あるいは低周波を変調した高周波の電磁波を使用しており、本発明の方式を適用することができる。
【００３４】
（電源ケーブル／電気供給線）
図６に電源ケーブル（電気供給線）の実施の形態を示す。
既存の電源ケーブルを用いる場合を例にとり説明する。この電源ケーブルは、例えば、ＯＡタップと電源コンセントとを結ぶケーブルとして用いられる。
図６では、電源ケーブル３１は、絶縁性材料で被覆されている。この絶縁性材料で被覆された電源ケーブル３１の絶縁性材料の一部を剥いで、導電線３２を露出させる。露出させた導電線３２の周りに金属粉末３３を配置し、さらにその周囲を絶縁性材料３４で被覆する。これにより、導電線３２と絶縁性材料３４との間に形成される空間内に粉末３３が充填された構造となる。
ここで、粉末は、生体エネルギーを注入し、そのエネルギー準位を高めた金属等又は絶縁物の粉末である。なお、絶縁物としては、例えば、金属の酸化物あるいは窒化物が用いられる。
【図面の簡単な説明】
【００３５】
【図１】本発明の電気供給ラインを携帯電話用充電器に使用した状態を示す模式図である。
【図２】（１）及び（２）は、本発明の電気供給ラインを使用せずに既存の電気供給ラインを使用して充電した携帯電話による携帯電話使用前の初期状態と１５分間の通話直後の血液中の赤血球状態を示す図であり、（３）はこの血液採取直後に本発明の電気供給ラインを使用して充電した携帯電話による通信時における携帯電話使用１５分後の赤血球の変化を示す図である。
【図３】（１）及び（２）は、本発明の電気供給ラインを使用して充電した携帯電話による使用前の初期状態と、通話時における携帯電話使用１０分後の血液中の赤血球状態を示す図であり、（３）はその後に引き続き本発明の電気供給ラインを使用せずに既存の電気供給ラインを用いて充電した携帯電話による通話時における携帯電話使用１０分後の赤血球の変化を示す図である。
【図４】（１）及び（２）は、本発明の電気供給ラインを使用せずに既存の電気供給ラインを使用して充電した携帯電話通話時における初期状態と１０分間通話後の血液中の赤血球状態と、（３）にその直後に既存の電気供給ラインで充電したその携帯電話を持つ被験者に、本発明の電気供給ラインを使用して充電した携帯電話から１０分間通話した被験者の血液中の赤血球状態の変化を示す図である。
【図５】脳波への携帯電話電磁波の影響を示す図であり、安静時の脳波は目を閉じて集中しながらゆっくりと呼吸した時の脳波δ波、θ波、α波、β波の時系列変化を示す。その脳波を示す状態で、本発明の電気供給ラインを使用せずに既存の電気供給ラインを使用して充電した携帯電話を通電状態で側頭に近づけた時の脳波の変化を、引き続いて本発明の電気供給ラインを使用して充電した携帯電話を通電状態で側頭に近づけた時の脳波、δ波、θ波、α波、β波の時系列変化を示す図である。
【図６】本発明の実施の形態に係る電源ケーブルの断面図である。
【符号の説明】
【００３６】
１  外部電力（家庭用電気コンセント）
２  電気駆動機器（携帯電話）
３  電気供給ライン（配線コード）
４  プラグ
５  コネクタ
６  コード本体
７  生体エネルギー情報処理された導電素子を含むアダプター
３１  電源ケーブル（電気供給線）
３２  導電線
３３  粉末
３４  絶縁性材料
【図１】
2005310734.tif 000003
【図６】
2005310734.tif 000004
【図２】
2005310734.tif 000005
【図３】
2005310734.tif 000006
【図４】
2005310734.tif 000007
【図５】
2005310734.tif 000008